(57)【特許請求の範囲】
【請求項１】
容器本体と、前記容器本体に設けられたノズルと、前記容器本体の一部を構成する蛇腹部とを具備する流体放出装置において、
前記蛇腹部は、力の印加により縮小し、かつ、印加した力の開放により復元するよう構成されていて、該蛇腹部に対する力の印加・開放の繰り返しにより、容器本体内の流体が前記ノズルを介して外部に放出されるよう構成されてなり、
更に、前記蛇腹部に印加される力の作用点に対応する該蛇腹部以外の容器本体の側板部に前記作用する力の方向に沿ったリブが設けられていて、該蛇腹部に対する力の印加によっても蛇腹部以外の部分の容器本体は実質上変形しないよう構成されてなる
ことを特徴とする流体放出装置。
【請求項２】
容器本体は、開口部を有する上板部と、下板部と、左側板部と、右側板部と、前板部と、後板部とを具備し、
前記左側板部（及び／又は上板部）及び右側板部（及び／又は下板部）の前端及び／又は後端から内側の位置にかけて上下（及び／又は左右）方向に凹凸溝を有する蛇腹部が構成されていることを特徴とする請求項１の流体放出装置。
【請求項３】
容器本体は、開口部を有する上板部と、下板部と、左側板部と、右側板部と、前板部と、後板部とを具備し、
前記左側板部（及び／又は上板部）及び右側板部（及び／又は下板部）の前端及び／又は後端から内側の位置にかけて上下（及び／又は左右）方向に凹凸溝を有する蛇腹部が構成され、前記蛇腹部の側方の左側板部（及び／又は上板部）及び／又は右側板部（及び／又は下板部）に前記凹凸溝の方向とは交差する方向にリブが構成されていることを特徴とする請求項１の流体放出装置。
【請求項４】
ノズルは容器本体の開口部を閉塞するキャップ体に取り付けられてなり、前記キャップ体に取り付けられたノズルの先端に設けられたノズル口を覆うカバーが設けられてなることを特徴とする請求項１の流体放出装置。
【発明の詳細な説明】
【０００１】
【発明の属する技術分野】
本発明は、例えば黴取り剤などの流体が入れられる容器、すなわち流体放出装置に関する。
【０００２】
【発明が解決しようとする課題】
例えば、トリガーの付いた容器に黴取り剤などが入れられており、このトリガーを引くことによって容器内の黴取り剤はノズル口から放出される。
しかし、トリガーと容器本体とは別体であり、この為組み立て工程を要し、それだけコストが高く付く。
【０００３】
従って、本発明が解決しようとする課題は、トリガー等の別部品を要することなく、充填されている流体を効率よく放出できる簡便な装置を提供することである。
【０００４】
【課題を解決するための手段】
上記の課題は、容器本体と、前記容器本体に設けられたノズルと、前記容器本体の一部を構成する蛇腹部とを具備する流体放出装置において、
前記蛇腹部は、力の印加により縮小し、かつ、印加した力の開放により復元するよう構成されていて、該蛇腹部に対する力の印加・開放の繰り返しにより、容器本体内の流体が前記ノズルを介して外部に放出されるよう構成されてなり、
更に、前記蛇腹部に印加される力の作用点に対応する該蛇腹部以外の容器本体の側板部に前記作用する力の方向に沿ったリブが設けられていて、該蛇腹部に対する力の印加によっても蛇腹部以外の部分の容器本体は実質上変形しないよう構成されてなる
ことを特徴とする流体放出装置によって解決される。
【０００５】
すなわち、上記のように構成させていると、トリガーが無くても、充填されている流体を効率よく放出できる。
尚、蛇腹部に対する力の印加によっても蛇腹部以外の部分の容器本体は実質上変形しないよう構成されていることが好ましい。例えば、蛇腹部に印加される力の作用点に対応する前記蛇腹部以外の容器本体の側板部に前記作用する力の方向に沿ったリブが構成されていて、蛇腹部に対する力の印加によっても蛇腹部以外の部分の容器本体は実質上変形しない（膨らまない）よう構成されているのが好ましい。
【０００６】
すなわち、蛇腹部に力を印加し、流体放出装置の内容積を小さくし、これによってノズルから放出させようとしても、蛇腹部の変形に応じて容器本体が膨らむようになっては、ノズルからの放出圧力は低下する。従って、蛇腹部以外の部分は変形が起きないようにしておくことが好ましい。
そして、上記の流体放出装置は、その容器本体が開口部を有する上板部と、下板部と、左側板部と、右側板部と、前板部と、後板部とを具備し、前記左側板部（及び／又は上板部）及び右側板部（及び／又は下板部）の前端及び／又は後端から内側の位置にかけて上下（及び／又は左右）方向に凹凸溝を有する蛇腹部が構成されたものが好ましい例である。特に、流体放出装置の容器本体が、開口部を有する上板部と、下板部と、左側板部と、右側板部と、前板部と、後板部とを具備し、前記左側板部（及び／又は上板部）及び右側板部（及び／又は下板部）の前端及び／又は後端から内側の位置にかけて上下（及び／又は左右）方向に凹凸溝を有する蛇腹部が構成され、前記蛇腹部の側方の左側板部（及び／又は上板部）及び／又は右側板部（及び／又は下板部）に前記凹凸溝の方向とは交差する方向にリブが構成されているものが好ましい。
【０００７】
又、ノズルは容器本体の開口部を閉塞するキャップ体に取り付けられてなり、前記キャップ体に取り付けられたノズルの先端に設けられたノズル口を覆うカバーが設けられているのが好ましい。
【０００８】
【発明の実施の形態】
本発明の流体放出装置は、容器本体と、前記容器本体に設けられたノズルと、前記容器本体の一部を構成する蛇腹部とを具備し、前記蛇腹部は力の印加により縮小し、かつ、印加した力の開放により復元するよう構成されてなり、前記蛇腹部に対する力の印加・開放の繰り返しにより容器本体内の流体が前記ノズルを介して外部に放出されるよう構成されてなる。特に、蛇腹部に対する力の印加によっても蛇腹部以外の部分の容器本体は変形しない（膨らまない）よう構成されている。更には、蛇腹部に印加される力の作用点に対応する前記蛇腹部以外の容器本体の側板部に前記作用する力の方向に沿ったリブが構成されており、蛇腹部に対する力の印加によっても蛇腹部以外の部分の容器本体は変形しないよう構成されている。容器本体は、開口部を有する上板部と、下板部と、左側板部と、右側板部と、前板部と、後板部とを具備し、前記左側板部（及び／又は上板部）及び右側板部（及び／又は下板部）の前端及び／又は後端から内側の位置にかけて上下（及び／又は左右）方向に凹凸溝を有する蛇腹部が構成されている。特に、容器本体は、開口部を有する上板部と、下板部と、左側板部と、右側板部と、前板部と、後板部とを具備し、前記左側板部（及び／又は上板部）及び右側板部（及び／又は下板部）の前端及び／又は後端から内側の位置にかけて上下（及び／又は左右）方向に凹凸溝を有する蛇腹部が構成され、前記蛇腹部の側方の左側板部（及び／又は上板部）及び／又は右側板部（及び／又は下板部）に前記凹凸溝の方向とは交差する方向にリブが構成されている。又、ノズルは容器本体の開口部を閉塞するキャップ体に取り付けられてなり、前記キャップ体に取り付けられたノズルの先端に設けられたノズル口を覆うカバーが設けられている。
【０００９】
以下、詳しく説明する。
図１は、本発明になる流体放出装置の一実施形態の一部を切り欠く斜視図である。
図１中、Ａは、例えばポリエチレン等の樹脂材料を用いて成型された容器本体である。
【００１０】
容器本体Ａは、開口部１を有する上板部２と、下板部３と、左側板部４と、右側板部５と、前板部６と、後板部７とを具備する。
そして、左側板部４及び右側板部５の前端から内側（後側）の位置にかけて、左側板部４及び右側板部５には上下方向に凹凸溝８を有する蛇腹部Ｂが構成されている。
【００１１】
尚、図示した場合とは逆に、左側板部４及び右側板部５の後端から内側（前側）の位置にかけて、左側板部４及び右側板部５には上下方向に凹凸溝８を有する蛇腹部Ｂが構成されていても良い。
この蛇腹部Ｂは、内側に窪ませた位置の左側板部４及び右側板部５に構成されている。従って、蛇腹部Ｂの凹凸溝８における凸条部８ａは、蛇腹部Ｂがない左側板部４や右側板部５の平坦面より外側に突出していない。この為、持ち易くなっている。
【００１２】
更に、蛇腹部Ｂを構成する部分の肉厚は、左側板部４や右側板部５における蛇腹部Ｂがない部分の肉厚より薄く構成されている。従って、蛇腹部Ｂに矢印方向の力が作用すると、蛇腹部Ｂの部分のみが優先的に変形（縮小）する。
又、蛇腹部Ｂの側方（後側）の左側板部４及び右側板部５には凹凸溝８の方向とは交差（直交）する方向にリブ９ａ，９ｂ（リブ９ｂは右側板部５に形成されている為、図示せず）が構成されている。
【００１３】
更に、後板部７は、容器本体Ａを握った際に握り易く、かつ、内容積を大きなものとする為、凹部１０ａと凸部１０ｂとが形成されている。
１１ａ，１１ｂ，１１ｃは、容器本体Ａを握った際、手の指（人指し指、中指、薬指）を位置決めする為、前板部６に形成された凹状部である。
１２は開口部１を閉塞するキャップ体であり、このキャップ体１２にはノズル１３（図示せず）が接続されている。又、ノズル１３の先端部にはノズル口１４が形成されている。
【００１４】
１５は、キャップ体１２に形成されたノズル口１４を不使用時に覆うカバーである。
上記のように構成させていると、使用に際して、カバー１５を開き、手に持って、蛇腹部Ｂに対して力の印加・開放を繰り返して行うと、力の印加によって容器本体Ａの内容積が小さくなり、内部の液体には圧力が作用するから、充填されている液体はノズル口１４から放出される。
【００１５】
そして、従来のようなトリガーを格別に組み付ける必要はなく、しかも容器は成型によって簡単に出来、低廉なコストで得られる。
尚、蛇腹部Ｂは、左側板部４及び右側板部５にのみ形成された場合しか挙げていないが、上板部２及び下板部３に形成しても良く、更には、図２に示す如く、上板部２、下板部３、左側板部４及び右側板部５の４面に凹凸溝の方向が上下・左右にあるよう形成されても良い。
【００１６】
【効果】
力の印加・開放により縮小・拡張が行われる蛇腹部を容器本体の一部として有することから、小さな力で充填されている流体を効率よく放出でき、しかも低廉なコストで提供できる。
【図面の簡単な説明】
【図１】本発明になる流体放出装置の一実施形態の一部を切り欠く斜視図
【図２】本発明になる流体放出装置の他の実施形態の一部（蛇腹部）の斜視図
【符号の説明】
Ａ          容器本体
４          左側板部
５          右側板部
８          凹凸溝
Ｂ          蛇腹部
９ａ        リブ
【図１】
0003859022.tif 000002
【図２】
0003859022.tif 000003